(57)【要約】【課題】原稿給送装置を使用したときの画像読取ジョブの開始から原稿の画像データを出力するまでの時間を短縮すること。【解決手段】搬送される原稿Ｓの表面画像を読み取る光学スキャナユニット２０９と、移動可能な裏面白板２２１及び裏面読取ガラス２２０を有し、裏面白板２２１の読み取り、及び裏面読取ガラス２２０を介して原稿Ｓの裏面の読み取りを行うための読取位置を搬送される原稿Ｓの裏面画像の読み取りを行う裏面読取ユニット２５５と、原稿トレイ３０上の原稿Ｓの有無を検知する原稿有無センサ１６と、光学スキャナユニット２０９及び裏面読取ユニット２５５を制御するＣＰＵ２５０と、を備え、ＣＰＵ２５０は、原稿有無センサ１６の検知結果に基づいて原稿トレイ３０に原稿Ｓが載置されたと判断すると、裏面白板２２１を読取位置に移動させる（Ｓ５０２）。【選択図】図４
2017028437.tif 000002
【特許請求の範囲】
【請求項１】
原稿トレイに載置された原稿を搬送する原稿給送装置を備えた画像読取装置であって、
搬送される原稿の表面画像を読み取る第一の読取部と、
移動可能な基準白板及びプラテンガラスを有し、前記基準白板の読み取り、及び前記プラテンガラスを介して原稿の裏面の読み取りを行うための読取位置を搬送される原稿の裏面画像の読み取りを行う第二の読取部と、
前記原稿トレイ上の原稿の有無を検知する検知手段と、
前記第一の読取部及び前記第二の読取部を制御する制御手段と、
を備え、
前記制御手段は、前記検知手段の検知結果に基づいて前記原稿トレイに原稿が載置されたと判断すると、前記基準白板を前記読取位置に移動させることを特徴とする画像読取装置。
【請求項２】
前記制御手段は、前記基準白板を前記読取位置に所定の時間、待機させることを特徴とする請求項１に記載の画像読取装置。
【請求項３】
前記制御手段は、画像読取モードの指示を受け付けると、前記所定の時間を延長することを特徴とする請求項２に記載の画像読取装置。
【請求項４】
前記画像読取モードは、前記第一の読取部及び前記第二の読取部が原稿の画像を読み取るときに設定される情報であることを特徴とする請求項３に記載の画像読取装置。
【請求項５】
前記制御手段は、前記所定の時間が経過すると、前記プラテンガラスを前記読取位置に移動させることを特徴とする請求項２から請求項４のいずれか１項に記載の画像読取装置。
【請求項６】
前記制御手段は、原稿の両面画像の読取開始指示を受け付けると、前記基準白板を前記読取位置に移動させ、前記第二の読取部にシェーディング動作を行うための前記基準白板の読み取りを行わせることを特徴とする請求項５に記載の画像読取装置。
【請求項７】
前記制御手段は、原稿の両面画像の読取開始指示を受け付けると、前記第二の読取部にシェーディング動作を行うための前記基準白板の読み取りを行わせることを特徴とする請求項１から請求項４のいずれか１項に記載の画像読取装置。
【請求項８】
前記制御手段は、前記第二の読取部による前記基準白板の読み取りが終了すると、前記プラテンガラスを前記読取位置に移動させることを特徴とする請求項６又は７に記載の画像読取装置。
【請求項９】
前記制御手段は、原稿の片面画像の読取開始指示を受け付けると、前記プラテンガラスを前記読取位置に移動させることを特徴とする請求項１から請求項４のいずれか１項に記載の画像読取装置。
【請求項１０】
前記第二の読取部は、前記基準白板及び前記プラテンガラスを有する移動部と、前記基準白板及び前記プラテンガラスを前記読取位置に移動させるための移動手段と、を有することを特徴とする請求項１から請求項９のいずれか１項に記載の画像読取装置。
【請求項１１】
前記移動手段は、モータ及びバネであり、
前記制御手段は、前記モータにより前記基準白板及び前記プラテンガラスを前記読取位置に移動させ、
前記制御手段は、前記バネにより前記基準白板を前記読取位置に移動させることを特徴とする請求項１０に記載の画像読取装置。
【請求項１２】
前記バネは、前記プラテンガラスが前記読取位置に位置しているときには圧縮された状態に保持され、
前記基準白板の前記読取位置への移動は、前記バネの前記圧縮された状態からの付勢力により行われることを特徴とする請求項１１に記載の画像読取装置。
【請求項１３】
前記モータは、前記基準白板が前記読取位置に待機しているときは、励磁状態であることを特徴とする請求項１１又は１２に記載の画像読取装置。
【発明の詳細な説明】
【技術分野】
【０００１】
本発明は画像読取装置に関し、特に原稿給送装置を備えた画像読取装置に関する。
【背景技術】
【０００２】
複写機、ファクシミリ装置等の画像形成装置は、原稿台に載置された原稿を読み取る画像読取装置（リーダ）を備えており、中には、原稿トレイに載置された原稿を自動的に搬送する自動原稿給送装置（以下、ＡＤＦという）を備えた画像読取装置もある。最近では、ＡＤＦ側にも読取ユニットを設け、従来の画像読取装置側の読取ユニットによる表面読取と、ＡＤＦ側の読取ユニットによる裏面読取により、両面の原稿画像を１度に読取可能なＡＤＦもある。原稿の裏面を読み取る読取ユニットについても、表面と同様に、シェーディング動作を実施する必要があるので、シェーディング動作に必要な裏面用の基準白板を備えている。
【０００３】
従来の製品では、搬送路を搬送される原稿の裏面画像を読み取る裏面読取ユニットに対向する位置近傍にプラテンガラス板を敷設し、プラテンガラス板の表面の一部に、裏面用基準白板を設けている。そして、シェーディング動作を行う場合には、プラテンガラス板に設けられた裏面用基準白板を裏面読取ユニットに対向する位置に移動させて読み取ることにより、シェーディング動作を行う。このように、裏面のプラテンガラス板は、原稿の搬送方向（副走査方向）前後に移動可能であり、原稿の読取位置やシェーディング位置等の複数の位置へ移動させることが可能な構成となっている。更に、裏面用基準白板の高さは、裏面読取ユニットから裏面用基準白板を読み取る際に、プラテンガラス板の表面上を搬送される原稿の表面と同じ高さになるようにする必要がある。そのため、裏面用基準白板をプラテンガラス板に接着する際に、表面用プラテンガラス面の表面用基準白板と同様に、裏面読取ユニットから見て、プラテンガラス板の裏側、即ち原稿搬送路側に接着するようにしていた。そのため、プラテンガラス板の裏面用基準白板が接着された部分は、原稿搬送路面側に基準白板の厚み分だけ盛り上がる（突き出る）構成となっていた。
【０００４】
また、画像読取装置と組み合わせてシステム化し、画像読取装置が読み取った画像を即座に出力するプリンタ等の画像形成装置では、ＦＣＯＴ（ＦｉｒｓｔＣｏｐｙＯｕｔｐｕｔＴｉｍｅ）を短くすることが求められている。ここで、ＦＣＯＴとは、画像形成装置が原稿のコピー開始指示を受けてから１枚目の原稿の画像が印刷された記録材が出力されるまでの時間を指す。画像読取装置についても、ＡＤＦに載置した原稿を読み取る場合にも、原稿台ガラスに載置した原稿を光学スキャナユニットで読み取る場合と同様に、ＦＣＯＴ（ＦｉｒｓｔＣｏｐｙＯｕｔｐｕｔＴｉｍｅ）が短くなるように動作することが求められている。そのため、画像読取装置においても、原稿の読取開始指示を受けてから、ＡＤＦに載置された１枚目の原稿の画像データを出力するまでの時間を短縮する必要がある。例えば、特許文献１では、ＡＤＦを使用した原稿読取時に、読取開始指示を受ける前、即ち原稿が原稿台にセットされたときにシェーディング動作を行うことにより、１枚目原稿の読取時のシェーディング動作を省いている。これにより、読取開始指示を受けてから、ＡＤＦに載置された１枚目の原稿の画像データを出力するまでの時間を短縮している。
【先行技術文献】
【特許文献】
【０００５】
【特許文献１】特開２０１０−３５１３６号公報
【発明の概要】
【発明が解決しようとする課題】
【０００６】
上述したように、プラテンガラス板に接着された裏面用基準白板は、搬送路側に突き出ているため、裏面用シェーディング位置では、裏面用基準白板の厚みと原稿を搬送する搬送ローラにより原稿搬送路が狭くなり、原稿搬送に影響を及ぼす可能性がある。そのため、裏面用基準白板の読取を行わない場合には、裏面用基準白板をシェーディング位置ではない別の位置に移動させなければならない。また、原稿の裏面画像を読み取る場合には、裏面画像読取のために裏面用基準白板を読み取るシェーディング動作を実施する必要がある。画像読取ジョブを開始した後に裏面用基準白板をシェーディング位置に移動させるようにすると、シェーディング動作完了後に再度、裏面用基準白板を上述した別の位置に移動させる必要があるため、原稿の画像データを出力するまでの時間が長くなってしまう。また、画像読取ジョブの開始指示の前にシェーディング動作を行う場合でも、シェーディングした画像読取モード（例えばカラー画像）がユーザの所望する画像読取モード（例えば白黒画像）ではない場合には、再度シェーディング動作を行う必要がある。そのため、かえって、画像読取ジョブの開始指示を受けてから原稿の画像データを出力するまでの時間が増大してしまうという課題がある。
【０００７】
本発明はこのような状況のもとでなされたもので、原稿給送装置を使用したときの画像読取ジョブの開始から原稿の画像データを出力するまでの時間を短縮することを目的とする。
【課題を解決するための手段】
【０００８】
前述した課題を解決するため、本発明では次の通りに構成する。
【０００９】
（１）原稿トレイに載置された原稿を搬送する原稿給送装置を備えた画像読取装置であって、搬送される原稿の表面画像を読み取る第一の読取部と、移動可能な基準白板及びプラテンガラスを有し、前記基準白板の読み取り、及び前記プラテンガラスを介して原稿の裏面の読み取りを行うための読取位置を搬送される原稿の裏面画像の読み取りを行う第二の読取部と、前記原稿トレイ上の原稿の有無を検知する検知手段と、前記第一の読取部及び前記第二の読取部を制御する制御手段と、を備え、前記制御手段は、前記検知手段の検知結果に基づいて前記原稿トレイに原稿が載置されたと判断すると、前記基準白板を前記読取位置に移動させることを特徴とする画像読取装置。
【発明の効果】
【００１０】
本発明によれば、原稿給送装置を使用したときの画像読取ジョブの開始から原稿の画像データを出力するまでの時間を短縮することができる。
【図面の簡単な説明】
【００１１】
【図１】実施例の画像読取装置及び自動原稿給送装置の断面図
【図２】実施例の画像読取装置及び画像処理装置のブロック図
【図３】実施例の裏面ガラスユニットの構成を説明する概略図
【図４】実施例の裏面読取ガラスの移動制御シーケンスを示すフローチャート
【図５】実施例の画像読取ジョブ開始時の裏面ガラスユニットの制御シーケンスを示すフローチャート
【発明を実施するための形態】
【００１２】
以下に、図面を参照して本発明の実施の形態について詳細に説明する。本発明の実施例の説明に先立ち、前述した課題について詳細に説明する。上述したような１度に原稿の両面読取が可能な構成を有するＡＤＦでは、裏面読取ユニットは、基準白板の読取値からシェーディング補正データを生成するシェーディング動作を行う位置、及び搬送される原稿の読取を行う位置で、画像読取を行う。上述したように、裏面用基準白板が搬送路側に突き出す形状の構成なので、プラテンガラス板上の裏面用基準白板がシェーディング動作を行う位置に移動すると、搬送ローラが近傍にあるため、原稿の搬送に影響を及ぼす可能性がある。そのため、原稿を搬送する場合には、プラテンガラス板をシェーディング位置ではない位置、即ち原稿の搬送に影響がなく、裏面読取ユニットが搬送中の原稿を読み取ることができる位置である原稿読取位置に移動させる必要がある。
【００１３】
画像読取ジョブの実行の際に必ず行う処理として、例えば、原稿の両面画像読取の場合には、裏面読取ユニットとしての画像読取のためのシェーディング動作がある。そのため、画像読取ジョブ開始時に、プラテンガラス板の裏面用基準白板をシェーディング位置へ移動させ、シェーディング動作が完了した後に、再度、プラテンガラス板を原稿読取位置へ移動させる必要がある。一方、原稿の片面読取の場合には、裏面読取ユニットのシェーディング動作は不要であるため、プラテンガラス板を原稿読取位置に移動させる必要がある。このように、画像読取ジョブの種類（片面読取、両面読取）によりプラテンガラス板を移動させる位置や処理が切り替えられることになる。このような状況においても、画像読取ジョブを開始してから原稿の画像データを出力するまでの時間を早くする（短縮する）ことが求められている。現状では、画像読取ジョブを開始した後に、片面読取の画像読取ジョブなのか、又は両面読取の画像読取ジョブなのかを判断している。
【００１４】
また、プラテンガラス板が移動している最中では、移動に伴う振動や、プラテンガラス板がまだ読取位置に移動できていないことにより、原稿の画像読取を実施できない。最近では、コストダウンのためにＡＤＦが小型化され、これに伴い原稿が搬送される搬送路が短くなる傾向にあり、その結果、原稿トレイから原稿読取位置までの搬送路の距離が短くなる構成となっている。このような構成の画像読取装置では、画像読取ジョブの開始に伴い、プラテンガラス板の所定位置への移動と原稿給紙動作を同じタイミングで開始すると、プラテンガラス板が移動している最中に、搬送された原稿が読取位置まで到達してしまう可能性がある。前述したように、プラテンガラス板が移動中のときには原稿読取はできないため、プラテンガラス板が所定位置へ移動を完了するのを待つ必要がある。また、プラテンガラス板の構成によっては、所定位置へ移動した後も、移動に伴う振動が収まる（減衰する）までの待機時間を要する場合もある。
【００１５】
また、前述したように、裏面用基準白板は原稿搬送路側に突き出している構成となっているため、裏面用基準白板がシェーディング位置で停止していると、搬送される原稿が引っ掛かり、紙詰まり等が発生する可能性がある。そのため、プラテンガラス板の所定位置（原稿読取位置）への移動が完了した後に、原稿搬送、又は裏面画像の読取を行うようにしている。一方、コストダウンのため、１つのモータを使用して原稿の搬送とプラテンガラス板の移動を行う構成を有する画像読取装置がある。この場合、モータは、正回転駆動では搬送ローラを搬送方向へ回転させて原稿を搬送し、逆回転駆動ではプラテンガラス板を駆動させる構成となっている。この場合も、プラテンガラス板が移動中には原稿の搬送はできないので、原稿の搬送を行うためには、プラテンガラス板の移動が完了するまで待たなければならない。そのため、ＡＤＦを使用したときの画像読取ジョブの開始から原稿の画像データを出力するまでの時間を短縮させる際の課題となっていた。
【００１６】
また、例えば特許文献１では、原稿をＡＤＦの原稿トレイに載置したときにシェーディング動作を行うことにより、１枚目原稿の読取時のシェーディング動作を省略することを可能にしている。しかしながら、シェーディング動作については、ユーザが指定した読取モード（例えばカラー画像／白黒画像の読取）に応じて行う必要がある。即ち、裏面用基準白板の読取に必要なランプの点灯時間を、指定された読取モードでの読取に適した点灯時間に設定し、その状態で裏面用基準白板の読取を行わなければならない。そのため、事前にシェーディング動作を行っても、そのときの読取モードがユーザの指示した読取モードと異なる場合は、画像読取ジョブ開始時に改めて、ユーザが指示した読取モードに応じた適切なシェーディング動作を行わなければならない。
【００１７】
この場合、ＡＤＦを使用したときの画像読取ジョブの開始から原稿の画像データを出力するまでの時間は従来と変わらないか、場合によっては増大する場合がある。増大する場合とは、例えば事前にシェーディング動作を行い、プラテンガラス板を読取位置へ移動させている最中に、ユーザが異なる読取モードを指定した画像読取指示があった場合である。この場合、画像読取ジョブが開始されたとしても、プラテンガラス板上の裏面用基準白板が一度原稿読取位置へ復帰した後、再度、裏面用基準白板をシェーディング位置へ移動させなくてはいけない。そのため、画像読取を指示されてから裏面用基準白板をシェーディング位置へ移動させる場合と比べてより多くの時間がかかり、ＡＤＦを使用したときの画像読取ジョブの開始から原稿の画像データを出力するまでの時間の短縮化の課題となっている。
【実施例】
【００１８】
［画像読取装置の構成］
図１は、本実施例の画像読取装置の全体構成を示す概略断面図である。図１に示す画像読取装置２００（以下、リーダ２００ともいう）は、原稿トレイ３０上（原稿トレイ上）に載置された原稿Ｓを給送する自動原稿給送装置１００（以下、ＡＤＦ１００という）を備えている。また、図２は、リーダ２００の制御ブロックと、リーダ２００を制御するコントローラ部４００の制御ブロックを説明する図である。コントローラ部４００は、例えばリーダ２００を備えた画像形成装置（不図示）の制御部である。そして、図３は、ＡＤＦ１００の裏面プラテンガラスユニット２２５の構成を説明する概略図である。
【００１９】
図２において、リーダ２００のＣＰＵ２５０は、リーダ２００及びＡＤＦ１００の各種制御を行ったり、不図示のタイマにより時間計測を行ったりする。ＲＯＭ２５２には、ＣＰＵ２５０が実行するプログラムやデータが格納されている。また、ＲＡＭ２５１には、入力データや、ＣＰＵ２５０が実行するプログラムが一時的に保存する作業用データが格納される。原稿表面読取部である光学スキャナユニット２０９は原稿Ｓの表面の画像読取を行い、原稿裏面読取部である裏面読取ユニット２５５は原稿Ｓの裏面の画像読取を行う。また、ガラス移動部２５６は、図３に示す裏面モータ２３１（破線枠）、カム２２２、及び裏面モータ２３１の回転軸とカム２２２を接続するカム軸２２６から構成されている。ガラス移動部２５６は、裏面モータ２３１の回転がカム軸２２６を介して伝達され、カム２２２がカム軸２２６を中心に曲線矢印方向に回転することにより、裏面プラテンガラスユニット２２５（以下、裏面ガラスユニット２２５という）を移動させる。なお、シェーディングメモリ２５３、シェーディング補正部２５４、及びシェーディング補正係数生成部２５７については後述する。
【００２０】
一方、コントローラ部４００のＣＰＵ４０１は、画像形成装置（不図示）の制御を行ったり、ＣＰＵ２５０とのデータ送受信を介してリーダ２００の各種制御を行ったり、不図示のタイマにより時間計測を行ったりする。ＲＯＭ４０２には、ＣＰＵ４０１が実行するプログラムやデータが格納され、ＲＡＭ４０３には、入力データや、ＣＰＵ４０１が実行するプログラムが一時的に保存する作業用データが格納される。また、操作部４０４は、画像形成装置が備える操作パネルであり、ユーザが画像読取の指示や読取時の各種設定を入力したり、各種情報を表示したりするのに用いられる。ＣＰＵ４０１は、操作部４０４から入力されたユーザのデータ設定や指示に応じて、リーダ２００のＣＰＵ２５０に画像読取ジョブの開始指示等を送信する。以下では、図１、図２、図３を参照しながら、リーダ２００の構成及び制御について説明する。
【００２１】
［スキャナユニットによる読取処理］
リーダ２００の原稿台ガラス２０２に載置された原稿読取については、第一の読取部である光学スキャナユニット２０９が図１の矢印方向（副走査方向）に原稿Ｓを走査することで、原稿の画像情報が光学的に読み取られる。一方、ＡＤＦ１００に載置された原稿Ｓについては、次のように読み取りが行われる。即ち、原稿トレイ３０上の原稿Ｓを１枚ずつ搬送して、光学スキャナユニット２０９をＡＤＦ１００の原稿流し読みプラテンガラス２０１（以下、表面読取ガラス２０１という）近傍の原稿読取位置まで移動させ、原稿読取位置で搬送中の原稿Ｓを読み取る。原稿Ｓを読み取る光学系は、表面読取ガラス２０１、原稿台ガラス２０２、光源ランプ２０３と折り返しミラー２０４を有する光学スキャナユニット２０９、折り返しミラー２０５、２０６、レンズ２０７、ＣＣＤセンサユニット２１０から構成される。リーダ２００により読み取られた画像情報は光電変換され、コントローラ部４００に画像データとして送信される。
【００２２】
原稿の片面画像の読取ジョブの場合には、光学スキャナユニット２０９により表面画像が読み取られた原稿Ｓは、搬送路の下流方向に搬送され、原稿排紙トレイ３１に排出される。一方、原稿の両面画像の読取ジョブの場合には、光学スキャナユニット２０９により表面画像が読み取られた原稿Ｓは、搬送路の下流方向に搬送され、第二の読取部である裏面読取ユニット２５５にて、原稿Ｓの裏面画像が読み取られる。裏面読取ユニット２５５により読み取られた原稿Ｓの裏面画像情報は、表面画像情報と同様に光電変換され、コントローラ部４００に画像データとして送信される。裏面読取ユニット２５５により裏面画像が読み取られた原稿Ｓは、更に搬送路の下流方向に搬送され、原稿排紙トレイ３１に排出される。
【００２３】
前述したように、リーダ２００においては、読取ジョブで読み取られる原稿Ｓの片面・両面画像に応じて、光学スキャナユニット２０９、及び裏面読取ユニット２５５によるシェーディング動作が行われる。表面用基準白板２１９（以下、表面白板２１９という）は、光学スキャナユニット２０９が読み取った原稿Ｓの表面画像のシェーディング処理のための白レベルの基準データ（シェーディング用の補正データ）を作成するために用いる白板である。原稿画像の読取ジョブを開始した直後に、光学スキャナユニット２０９は表面白板２１９直下まで移動し、表面白板２１９を読み取って、シェーディング用のデータを作成するシェーディング動作を実施する。なお、表面画像のシェーディング動作は、ＡＤＦ１００を使用した片面画像（即ち原稿Ｓの表面の画像）、及び両面画像（即ち原稿Ｓの表面と裏面の画像）のどちらの読取ジョブの場合にも、画像読取ジョブを開始した直後に実施される。
【００２４】
一方、裏面用基準白板２２１（以下、裏面白板２２１という）は、読み取った原稿Ｓの裏面画像のシェーディング処理のための白レベルの基準データを作成するために用いる白板である。図３に示すように、裏面白板２２１は、裏面ガラスユニット２２５に設けられた裏面読取用プラテンガラス板２２０（以下、裏面読取ガラス２２０という）上の搬送路側に接着され、搬送路側に突き出すように設けられている。原稿Ｓの裏面画像の読取を実施する前に、裏面ガラスユニット２２５を、裏面読取ユニット２５５が裏面白板２２１を読み取るときの位置であるシェーディング位置２２８まで移動させる（図３（Ｂ））。そして、裏面読取ユニット２５５が裏面白板２２１を読み取ることで、裏面のシェーディング動作が実施される。なお、以下では、図３（Ｂ）に示す裏面ガラスユニット２２５がシェーディング位置２２８に移動（停止、位置）している状態を、裏面白板２２１がシェーディング位置２２８に移動（停止、位置）しているともいう。また、原稿Ｓの搬送時や裏面読取ユニット２５５が原稿Ｓの裏面画像を読み取るときには、裏面ガラスユニット２２５を、裏面読取ユニット２５５が裏面読取ガラス２２０を介して原稿Ｓの裏面画像を読み取る位置である原稿読取位置に移動させる（図３（Ａ））。このとき、裏面白板２２１は待機位置２３２に移動しており、図３（Ａ）中の「移動量」は、裏面白板２２１のシェーディング位置２２８から待機位置２３２までの移動量（距離）を示している。なお、以下では、図３（Ａ）に示す裏面白板２２１が待機位置２３２に移動（停止、位置）している状態を、裏面ガラスユニット２２５が待機位置２３２に移動（停止、位置）しているともいう。
【００２５】
［原稿の片面画像の読取処理］
次に、ＡＤＦ１００を使用した原稿Ｓの片面画像、即ち原稿Ｓの表面の画像を読み取る処理について説明する。ＡＤＦ１００の原稿トレイ３０に載置された原稿Ｓの片面画像を読み取る画像読取ジョブ（以下、片面画像読取ジョブという）が開始されると、光学スキャナユニット２０９が表面白板２１９直下の位置まで移動し、シェーディング動作が実施される。シェーディング動作を実施した後、光学スキャナユニット２０９は表面読取ガラス２０１直下の位置まで移動し、ＡＤＦ１００により原稿Ｓが読取位置に到達するまで待機する。
【００２６】
一方、後述するように、画像読取ジョブが開始された直後に裏面読取ユニット２５５がシェーディング動作を行うことができるように、画像読取ジョブが開始される前に、裏面白板２２１はシェーディング位置２２８に移動している。ところが、この状態では、シェーディング位置２２８の近傍で、搬送ローラ２２７と裏面白板２２１の間隔が狭くなり、搬送される原稿Ｓが裏面白板２２１に接触し、原稿Ｓの紙詰まりが発生する可能性がある。また、片面画像読取ジョブの場合には、原稿Ｓの裏面画像の読み取りは行われないので、裏面読取ユニット２５５はシェーディング動作を行わない。そのため、裏面読取ユニット２５５がシェーディング動作を行わないときには、裏面白板２２１の位置がシェーディング位置２２８から外れた待機位置２３２となるように、裏面ガラスユニット２２５を移動させている。このように、片面画像読取ジョブの場合には、裏面ガラスユニット２２５を図３（Ａ）に示す位置、即ち、裏面白板２２１を待機位置２３２に移動させて、ＡＤＦ１００の原稿トレイ３０上の載置された原稿Ｓの搬送が開始される。
【００２７】
原稿Ｓの搬送を開始するため、ＡＤＦ１００では、原稿トレイ３０に載置された最上位の原稿Ｓの上に給紙ローラ１が下降し、給紙ローラ１が原稿Ｓに到達すると、給紙ローラ１により、最上位の原稿Ｓが給紙される。１枚以上のシートで構成される原稿束を積載した原稿トレイ３０から最上位の原稿Ｓだけを給紙し、最上位の原稿Ｓを含む複数の原稿Ｓが重なって給紙されてしまう重送現象を防ぐために、分離ローラ２、分離パッド８、及び給紙ローラ１により給紙が行われる。これにより、給紙ローラ１によって給紙された原稿Ｓは、分離ローラ２と分離パッド８の作用によって、１枚の原稿Ｓだけが搬送されるように分離される。この分離処理動作は、周知の分離処理技術によって実現されている。
【００２８】
分離ローラ２と分離パッド８によって分離された原稿Ｓは、レジストレーションローラ３（以下、レジストローラ３という）へ搬送され、原稿Ｓの搬送方向の先端がレジストローラ３に突き当てられた状態で、一旦、原稿搬送が停止される。なお、搬送が停止される際に、原稿Ｓの先端がレジストローラ３に突き当てられた状態で更に少量搬送されるので、原稿Ｓの先端の一部は搬送路の上側に盛り上がり、ループ状態が形成される。こうして、原稿Ｓの搬送方向の先端側にループが形成されることにより、原稿Ｓの搬送方向における斜行が解消される。
【００２９】
コントローラ部４００は、リーダ２００により読み取られた原稿画像データの受信準備が完了すると、リーダ２００に画像読取指示を送信する。リーダ２００は画像読取指示を受信すると、レジストローラ３によりループが形成されて停止状態の原稿Ｓの搬送が再開される。レジストローラ３の搬送路の下流側には原稿読取前ローラ４があり、搬送が再開された原稿Ｓは原稿読取前ローラ４に搬送される。そして、原稿Ｓは原稿読取前ローラ４を通過し、原稿読取プラテンローラ５の近傍にある表面読取ガラス２０１の原稿読取位置まで搬送される。ここで、原稿Ｓが表面読取ガラス２０１の原稿読取位置に搬送される際に、リードセンサ１４により原稿Ｓの先端が検知される。リードセンサ１４が原稿Ｓの先端を検知したタイミングと、リードセンサ１４から表面読取ガラス２０１の原稿読取位置までの距離を、原稿読取前ローラ４及び原稿読取プラテンローラ５の駆動源である搬送モータ（不図示）のクロック数により計数する。これにより、表面読取ガラス２０１上の原稿読取位置までの距離を正確に計測し、計測された原稿読取位置を原稿Ｓが通過するタイミングが原稿Ｓの表面の原稿画像の先端の基準位置として決定される。決定された基準位置で、光学スキャナユニット２０９により原稿表面の流し読みによる画像の取り込みが実施される。
【００３０】
光学スキャナユニット２０９による表面画像の読取が終了した原稿Ｓは、原稿読取後ローラ６を通過し、排紙センサ１５により原稿Ｓの後端が検知される。排紙センサ１５により原稿Ｓの後端が検知されたタイミングをトリガとして、所定時間後に、原稿Ｓは排紙ローラ７から原稿排紙トレイ３１へ排出されて、１枚の原稿Ｓの片面画像の読取処理が終了する。
【００３１】
給紙ローラ１により給紙された原稿Ｓの後端が通過したことを分離後センサ１２が検知すると、検知手段である原稿有無センサ１６はＡＤＦ１００の原稿トレイ３０上の後続の原稿Ｓの有無について検知を行う。そして、原稿有無センサ１６で検知された後続の原稿Ｓの有無情報を示す検知結果は、リーダ２００からコントローラ部４００に通知される。リーダ２００は、操作部４０４からの画像読取ジョブの設定で、指定された枚数分だけの原稿Ｓを読み取る場合を除き、基本的には原稿トレイ３０上の原稿Ｓがなくなるまで、上述した処理を繰り返す。即ち、リーダ２００は、コントローラ部４００からの指示に応じて、原稿Ｓの給紙、搬送、原稿画像の読取、原稿Ｓの排出を繰り返す。そして、原稿Ｓの後端を分離後センサ１２により検知した際に原稿有無センサ１６が原稿なし状態を検知した場合には、コントローラ部４００は搬送中の原稿Ｓを最終原稿と判断し、リーダ２００に画像読取ジョブの終了指示を送信する。画像読取ジョブの終了指示を受信したリーダ２００は、現在搬送中の原稿Ｓが原稿排紙トレイ３１に排出されるのを待ち、各ローラの駆動源となる搬送モータを停止し、給紙ローラ１を元の位置に戻し、画像原稿読取ジョブを終了する。
【００３２】
［原稿の両面画像の読取処理］
次に、原稿Ｓの両面（表面及び裏面）の画像を読み取る処理について説明する。原稿Ｓの処理については、上述した片面画像読取ジョブの場合と同様に、原稿Ｓの給紙開始、分離処理、斜行補正処理、原稿表面の画像読取処理、原稿裏面の画像読取処理、排紙処理の順で行われる。前述した原稿Ｓの片面画像の読取処理の場合には、原稿裏面の画像読取処理は行われないが、原稿Ｓの両面画像の読取処理の場合には、原稿裏面の画像読取処理が行われる点が異なる。そのため、原稿Ｓの両面画像の読取処理を実施するためには、原稿読取前に光学スキャナユニット２０９によるシェーディング動作と、裏面読取ユニット２５５によるシェーディング動作を実施する必要がある。
【００３３】
［裏面ガラスユニットの移動制御］
続いて、原稿Ｓの片面画像及び原稿Ｓの両面画像の読取を行う場合の、裏面読取ガラス２２０が設けられた裏面ガラスユニット２２５の移動制御について説明する。
【００３４】
（裏面ガラスユニットの構成）
図３を参照して、裏面ガラスユニット２２５の構成について説明する。原稿Ｓの表面画像を読み取る光学スキャナユニット２０９は移動可能な構成であり、シェーディング動作時には表面白板２１９まで移動し、シェーディング動作後は、表面読取ガラス２０１側に移動する。一方、原稿Ｓの裏面画像を読み取る裏面読取ユニット２５５は固定されており、シェーディング動作時には、裏面ガラスユニット２２５が図３（Ｂ）に示すシェーディング位置２２８に移動する。また、シェーディング動作を行わないとき（例えば原稿Ｓの裏面画像を読み取る場合等）には、裏面読取ユニット２５５が裏面画像を読み取ることができるように、裏面ガラスユニット２２５は、図３（Ａ）に示す待機位置２３２に移動する。
【００３５】
裏面ガラスユニット２２５は裏面読取ガラス２２０を有し、その一部に裏面白板２２１が搬送路側に接着されている。シェーディング動作時には、裏面読取ユニット２５５に対向する位置に裏面白板２２１があり、シェーディング動作を行わないときには、裏面読取ユニット２５５に対向する位置に裏面読取ガラス２２０がある。また、前述したように、裏面モータ２３１の回転がカム軸２２６を経由してカム２２２に伝達され、曲線矢印方向（図３（Ａ）、図３（Ｂ））に回転することにより、裏面ガラスユニット２２５は直線矢印方向に移動する。図３中のコイルバネ２２４、ホームポジション（ＨＰ）センサ２３０については後述する。
【００３６】
（裏面ガラスユニットの移動制御）
図３（Ｂ）に示すように、裏面白板２２１がシェーディング位置２２８に停止した状態のシェーディング位置２２８の近傍では、搬送ローラ２２７と裏面白板２２１との間隔が狭くなっている。搬送路規制部材２２３に沿って搬送される原稿Ｓがシェーディング位置２２８を通過する際に、裏面白板２２１に接触し、原稿Ｓの紙詰まりが発生する可能性がある。そのため、裏面読取ユニット２５５がシェーディング動作を行わないときには、裏面白板２２１が搬送される原稿Ｓに接触することがないように、裏面ガラスユニット２２５を移動させる必要がある。そして、このときの裏面白板２２１が停止している位置が、図３（Ｂ）に示すシェーディング位置２２８から離れた、図３（Ａ）に示す待機位置２３２である。原稿Ｓを搬送する際には、裏面白板２２１を待機位置２３２側に確実に移動させた後でなければ給紙を開始できない。しかしながら、原稿Ｓの両面画像を読み取る画像読取ジョブの開始指示を受けてから、裏面白板２２１を移動させて裏面シェーディング動作を実行し、再度、待機位置２３２に移動させた後に原稿Ｓの給紙を開始するのでは、次のような時間を短縮できない。即ち、ＡＤＦ１００を使用したときの画像読取ジョブの開始から原稿Ｓの画像データを出力するまでの時間を短縮させることができない。そこで、本実施例では、原稿Ｓが原稿トレイ３０に載置されたことを検知すると、画像読取ジョブの開始前に先行して、裏面白板２２１をシェーディング位置２２８に移動させておく。これにより、ＡＤＦ１００を使用したときの画像読取ジョブの開始から原稿Ｓの画像データを出力するまでの時間を短縮させる。
【００３７】
（原稿が載置されたときの動作）
以下では、図３と図４を用いて、裏面ガラスユニット２２５の移動制御について説明する。なお、図４は、本実施例の原稿Ｓの画像読取を行うときのリーダ２００のＣＰＵ２５０により実行される制御シーケンスを示すフローチャートである。前述したように、原稿有無センサ１６は、ＡＤＦ１００の原稿トレイ３０上の原稿Ｓの有無状態の検知を行う。そして、原稿有無センサ１６は原稿Ｓが載置されたこと、即ち原稿Ｓが載置されていない状態から載置された状態に変化したことを検知すると、ＣＰＵ２５０はコントローラ部４００のＣＰＵ４０１に通知すると共に、図４に示す処理を実行する。
【００３８】
ステップ（以下、Ｓとする）５０２では、ＣＰＵ２５０は、裏面ガラスユニット２２５を図３（Ｂ）に示す直線矢印方向に移動させる。これにより、裏面白板２２１の位置が図３（Ａ）の待機位置２３２から、図３（Ｂ）のシェーディング位置２２８に移動する。また、ＣＰＵ２５０は、裏面ガラスユニット２２５の移動が完了すると、不図示のタイマをリセットし、スタートさせる。なお、裏面ガラスユニット２２５の移動は、主に裏面ガラスユニット２２５に設けられたコイルバネ２２４（以下、バネ２２４という）によって行われる。バネ２２４の通常時の長さは図３（Ｃ）に示した長さ（バネ長）であるが、裏面ガラスユニット２２５が待機位置２３２に移動しているときには、図３（Ａ）に示すように、バネ２２４は圧縮された状態に保持されている。そのため、裏面読取ユニット２５５のシェーディング動作を行うために、裏面ガラスユニット２２５をシェーディング位置２２８へ移動させる際は、バネ２２４が図３（Ｃ）の長さに戻る力（付勢力）を利用する。即ち、裏面ガラスユニット２２５のシェーディング位置２２８への移動は、一端を基準軸２２９に接続されたバネ２２４が元の長さに戻ろうとする力により行われ、裏面ガラスユニット２２５は直線矢印方向（図３（Ｂ））に押し出される。そして、バネ２２４が、図３（Ｃ）に示す通常時の長さと等しい状態になった位置で、裏面ガラスユニット２２５の移動が停止する。このとき、バネ２２４には伸縮運動による振動が発生し、振動が発生した状態では裏面白板２２１の読取位置が定まらず、適切なシェーディングデータの読取ができない。そのため、裏面ガラスユニット２２５が図３（Ｂ）の位置へ移動した際には、バネ２２４の振動吸収時間として、例えば１秒程度の待ち時間が必要となる。
【００３９】
なお、裏面ガラスユニット２２５の移動が正しく行われたか否かについては、裏面ガラスユニット２２５の位置を検知するホームポジションセンサ２３０（以下、ＨＰセンサ２３０という）のオン／オフ状態を検知することにより判断することができる。ＨＰセンサ２３０は、例えば図３に示す裏面ガラスユニット２２５の図面手前側と図面背後側に、発光部と受光部を有するフォトセンサである。そして、裏面ガラスユニット２２５が移動すると、裏面ガラスユニット２２５により発光部からの光が遮光、又は透過されることにより、裏面ガラスユニット２２５が所定の位置に移動しているかどうかを判断することができる。
【００４０】
また、本実施例では、裏面モータ２３１の回転駆動により、カム２２２を図３（Ｂ）に示す曲線矢印方向へ回転させることにより、バネ２２４による裏面ガラスユニット２２５の移動速度を抑制することができる。上述したように、裏面ガラスユニット２２５の図３（Ａ）の待機位置２３２から図３（Ｂ）のシェーディング位置２２８への移動は、バネ２２４により行われる。したがって、裏面モータ２３１の回転駆動により、裏面ガラスユニット２２５を図３（Ｂ）の直線矢印方向へ直接移動させる必要はない。また、ＣＰＵ２５０は、裏面ガラスユニット２２５の移動が完了した後は、裏面ガラスユニット２２５がシェーディング位置２２８に停止していることを担保するために、裏面モータ２３１を励磁状態に保持する。
【００４１】
Ｓ５０３では、ＣＰＵ２５０は、不図示のタイマを参照して、裏面ガラスユニット２２５の図３（Ｂ）に示すシェーディング位置２２８で停止した状態の累積時間が所定値に達したか否かを判断する。Ｓ５０２の処理が行われると、裏面モータ２３１は励磁されたままの状態が続き、省電力の観点から見ると望ましい状態ではない。そのため、Ｓ５０３では、裏面ガラスユニット２２５の移動が完了してからの経過時間（累積時間）が所定値に達した場合には、裏面モータ２３１の励磁状態を解除するための判断を行う。ＣＰＵ２５０は、累積時間が所定値以上（累積時間≧所定値）と判断した場合にはＳ５０４の処理に進み、累積時間が所定値未満と判断した場合にはＳ５１２の処理に進む。
【００４２】
Ｓ５０４では、ＣＰＵ２５０は、ガラス移動部２５６を制御して裏面ガラスユニット２２５を移動させ、裏面白板２２１を図３（Ｂ）の原稿Ｓのシェーディング位置２２８から、図３（Ａ）の待機位置２３２に移動させる。即ち、ＣＰＵ２５０は、図３（Ａ）のように裏面モータ２３１を回転駆動させてカム２２２を曲線矢印の方向へ回転させ、裏面ガラスユニット２２５を図３（Ｂ）の位置から図３（Ａ）の位置へ移動させ、処理を終了する。
【００４３】
なお、Ｓ５０４では、裏面シェーディング動作を行うことを考慮して、裏面ガラスユニット２２５を移動させずに、シェーディング位置２２８に停止させた状態で、裏面モータ２３１の励磁状態を解除するという案も考えられる。しかし、図３（Ｂ）に示す移動完了後の位置で裏面モータ２３１の励磁をオフした場合には、裏面ガラスユニット２２５の重量などにより裏面ガラスユニット２２５の停止している位置がずれることがある。その結果、裏面白板２２１がシェーディング位置２２８からずれてしまい、適切なシェーディング結果を得ることができなくなることが考えられる。この場合、裏面ガラスユニット２２５の現在の停止位置自体も不明となるため、再度、シェーディング位置２２８を担保するためには、一旦、裏面モータ２３１を回転駆動して裏面ガラスユニット２２５を移動させる。そして、ＨＰセンサ２３０による裏面ガラスユニット２２５の検知によって、裏面ガラスユニット２２５の現在位置を確定させた後に、再度、シェーディング位置２２８へ移動させることとなり、かえって時間がかかってしまうことになる。そのため、Ｓ５０４の処理では、裏面ガラスユニット２２５を、シェーディング位置２２８（図３（Ｂ））とは、ＨＰセンサ２３０のオン・オフ状態が異なる待機位置２３２（図３（Ａ））に移動させる。これにより、ＨＰセンサ２３０が検知する状態の状態変化検知を済ませておくことができるので、その分の移動時間を短縮することができる。
【００４４】
Ｓ５１２では、ＣＰＵ２５０は、ＣＰＵ４０１からのユーザによるモード操作の通知の有無を判断する。ＣＰＵ２５０は、ＣＰＵ４０１からモード操作の通知がありと判断した場合にはＳ５１３の処理に進み、ＣＰＵ４０１からモード操作の通知がないと判断した場合にはＳ５１４の処理に進む。ここで、モード操作とは、ユーザが操作部４０４から、例えば設定されている画像読取モードの設定をカラー画像から白黒画像に設定変更したり、画像読取の両面読取、片面読取を指定したりする操作のことである。モード操作の情報は、ユーザが画像読取ジョブの開始を指示する前であっても、コントローラ部４００のＣＰＵ４０１からＣＰＵ２５０に通知される。モード操作の通知の有無を判断する理由として、モード操作が行われた場合には、ユーザによる画像読取ジョブの開始指示がこの直後に行われる可能性が高いと考えられるためである。そのため、裏面ガラスユニット２２５を図３（Ｂ）に示す状態で待機させる累積時間を延長させている。待機の時間を延長することにより、再度、図３（Ａ）の状態から図３（Ｂ）の状態への不必要な裏面ガラスユニット２２５の移動や、それに伴うバネ２２４の振動吸収時間の発生を防ぐことができ、ユーザビリティを向上させることができる。更に、ＡＤＦ１００を使用したときの画像読取ジョブの開始から原稿Ｓの画像データを出力するまでの時間の増加を防ぐことができる。
【００４５】
Ｓ５１３では、ＣＰＵ２５０は、不図示のタイマをリセットして累積時間をリセットし、再度スタートさせる。なお、ここでは、タイマをリセットすることにより累積時間の延長処理、即ち実質的には累積時間を所定値の２倍にする処理を行っているが、例えばタイマをリセットせず、判断に用いる閾値である所定値（所定時間）を大きな値に変更する方法でもよい。Ｓ５１４では、ＣＰＵ２５０は、不図示のタイマへの操作を行わず、累積時間を増加させるよう、タイマによる時間計測を継続する。
【００４６】
Ｓ５１５では、ＣＰＵ２５０は、ＣＰＵ４０１からの画像読取ジョブのジョブ開始指示の有無を判断する。ＣＰＵ２５０は、ＣＰＵ４０１からジョブ開始指示があり（ジョブ開始指示の受信）と判断した場合には処理を終了し、ジョブ開始指示がないと判断した場合にはＳ５０３の処理に戻る。
【００４７】
（画像読取ジョブの開始指示を受信したときの動作）
次に、画像読取ジョブのジョブ開始指示があった場合の裏面ガラスユニット２２５の制御、即ち裏面シェーディング動作の制御について、図５を用いて説明する。なお、図５は、裏面シェーディング動作の制御シーケンスを示すフローチャートである。図５の処理は、リーダ２００のＣＰＵ２５０がコントローラ部４００から画像読取ジョブの開始指示を受信したときに起動される。
【００４８】
Ｓ６０１では、ＣＰＵ２５０は、裏面ガラスユニット２２５がシェーディング位置２２８に移動しているか（位置しているか）どうかを判断する。ＣＰＵ２５０は、裏面ガラスユニット２２５がシェーディング位置２２８に移動している（位置している）と判断した場合にはＳ６０２の処理に進み、シェーディング位置２２８には移動していない（位置していない）と判断した場合にはＳ６１０の処理に進む。この場合、ＣＰＵ２５０は、裏面白板２２１がシェーディング位置２２８に停止しているかどうかを、例えば、ＨＰセンサ２３０のオン又はオフ状態に基づいて判断する。例えばＨＰセンサ２３０がオフ状態（透過状態）の場合は、裏面ガラスユニット２２５は図３（Ｂ）のシェーディング位置２２８に移動しているものと判断し、オン状態（遮光状態）の場合には、図３（Ａ）の待機位置２３２に移動しているものと判断する。なお、裏面白板２２１がシェーディング位置２２８に移動していないと判断される場合としては、例えば図４のＳ５０４のように、裏面白板２２１がシェーディング位置２２８に停止している累積時間が所定値を超えた場合である。
【００４９】
Ｓ６０２では、ＣＰＵ２５０は、コントローラ部４００のＣＰＵ４０１から受信した画像読取ジョブのジョブ開始指示に設定された情報に基づいて、画像読取ジョブが両面モード（原稿の両面の画像読取ジョブ）なのかどうかを判断する。ジョブ開始指示に設定された情報には、ジョブ開始指示コマンド、画像読取の色情報（カラー画像／白黒画像）、読取面を示す読取モード情報（片面／両面）などが含まれている。ＣＰＵ２５０は、読取モード情報に基づいて、読取面が両面であった場合は両面モードと判断し、Ｓ６０４の処理に進み、読取面が片面であった場合には両面モードではない（片面モードである）と判断し、Ｓ６０５の処理に進む。
【００５０】
Ｓ６０４では、ＣＰＵ２５０は、裏面シェーディング動作を行う。ＣＰＵ２５０は、指定された画像読取の色情報（カラー画像／白黒画像）に基づいて、色情報に適した設定にて裏面読取ユニット２５５により裏面白板２２１の読み取りを行い、読取データをシェーディング補正係数生成部２５７に入力する。シェーディング補正係数生成部２５７では、入力された読取データを元に、原稿の裏面画像読取用のシェーディング補正係数を生成し、出力する。ＣＰＵ２５０は、シェーディング補正係数生成部２５７から出力されたシェーディング補正係数をシェーディングメモリ２５３に格納する。なお、シェーディング補正部２５４は、裏面読取ユニット２５５により読み取られた原稿Ｓの裏面画像を、シェーディングメモリ２５３に格納されたシェーディング補正係数を用いてシェーディング処理を行う。
【００５１】
Ｓ６０５では、ＣＰＵ２５０は、ガラス移動部２５６を制御して、裏面白板２２１の位置を図３（Ｂ）のシェーディング位置２２８から、図３（Ａ）の待機位置２３２に移動させる。即ち、ＣＰＵ２５０は、図３（Ａ）のように裏面モータ２３１を回転駆動させてカム２２２を曲線矢印の方向へ回転させ、裏面ガラスユニット２２５を図３（Ｂ）の位置から図３（Ａ）の位置へ移動させ、処理を終了する。
【００５２】
Ｓ６１０では、ＣＰＵ２５０は、受信したコントローラ部４００のＣＰＵ４０１から受信した画像読取ジョブの開始指示に設定された情報に基づいて、画像読取ジョブが両面モード（原稿の両面の画像読取ジョブ）なのかどうかを判断する。ＣＰＵ２５０は、画像読取ジョブが両面モードであると判断した場合にはＳ６１１の処理に進み、画像読取ジョブが両面モードではない（片面モードである）と判断した場合には、裏面シェーディング動作は不要であるため、処理を終了する。Ｓ６１１では、ＣＰＵ２５０は、裏面シェーディング動作を実施する必要があるため、裏面ガラスユニット２２５をシェーディング位置２２８へ移動させ、移動終了後、Ｓ６０４の処理に進む。
【００５３】
以上説明したように、本実施例では、読取モードが両面読取を指示する両面モードであった場合は、画像読取ジョブの開始タイミングには、裏面白板２２１はシェーディング位置２２８に移動している。そのため、従来のように画像読取ジョブを開始してから、裏面白板２２１をシェーディング位置２２８へ移動させる場合と比べ、裏面白板２２１のシェーディング位置への移動時間、及びバネ２２４の振動吸収時間を削減することができる。また、本実施例ではユーザの指定した読取モードや色情報に基づいてシェーディング動作を行うので、前述した従来例のようにシェーディング動作をやり直す必要もない。その結果、従来の構成と比べてＡＤＦ１００を使用したときの画像読取ジョブの開始から原稿Ｓの画像データを出力するまでの時間を短縮することができる。なお、原稿Ｓの表面の画像読取を行う片面モードでは、裏面ガラスユニット２２５、即ち裏面白板２２１をシェーディング位置２２８から待機位置２３２へ移動させるための時間を要することになる。この場合は、例えば、搬送される原稿Ｓが裏面読取位置に到達するまでに裏面ガラスユニット２２５の移動が完了するように制御することにより、画像読取ジョブの開始から原稿Ｓの画像データを出力するまでの時間が増加することはない。
【００５４】
以上説明したように、本実施例によれば、原稿給送装置を使用したときの画像読取ジョブの開始から原稿の画像データを出力するまでの時間を短縮することができる。
【符号の説明】
【００５５】
１６      原稿有無センサ
２０９    光学スキャナユニット
２２０    裏面読取ガラス（裏面読取用プラテンガラス板）
２２１    裏面白板（裏面用基準白板）
２５０    ＣＰＵ
２５５    裏面読取ユニット
【図１】
2017028437.tif 000003
【図２】
2017028437.tif 000004
【図３】
2017028437.tif 000005
【図４】
2017028437.tif 000006
【図５】
2017028437.tif 000007